【事件の表示】
　特許第２５９７３４４号「カーペット調合成樹脂製床材」の請求項１ないし３に係る特許に対する特許異議の申立てについて、次のとおり決定する。
【結論】
　訂正を認める。
　特許第２５９７３４４号の請求項１に係る特許を維持する。
【理由】
〔Ｉ〕手続の経緯
　特許第２５９７３４４号の請求項１〜３に係る発明は、平成５年１０月１３日に特許出願され、平成９年１月９日にその特許の設定登録がなされ、その後、吉田勝広及び村田祥一より特許異議の申立てがなされ、その後、取消理由通知がなされ、その指定期間内の平成１０年４月２１日に訂正請求がなされ、さらに訂正拒絶理由通知がなされ、その指定期間内の平成１０年１１月１７日に訂正請求に対する手続補正がなされたものである。
〔ＩＩ〕訂正請求及び訂正請求に対する補正について
１．訂正請求に対する補正について
（１）補正の内容
　イ．訂正明細書の特許請求の範囲の請求項１を削除し、請求項２を新たな請求項１として次のように補正する。
　「【請求項１】カーペット模様の植設パイルの頂部に該当する部分を明部に、その周辺部を相対的に暗部とした濃淡ないし陰影模様を印刷してなる透明ないし半透明の陰影フイルムあるいはシートを、カーペット模様の植設パイルの直径とほぼ等しい大きさの直径を有し互いに色彩の異なる複数の種類のチップの緊密集合体からなる着色合成樹脂基材上に積層するか、または、カーペット模様の植設パイルの頂部に該当する部分を明部に、その周辺部を相対的に暗部とした濃淡ないし陰影模様を前記着色合成樹脂基材に印刷し、該濃淡ないし陰影模様を通して着色合成樹脂基材の色彩、模様を視認できるように構成し、さらに表面に、カーペット模様の植設パイルの直径とほぼ等しい大きさの直径の凸部が密に形成されるようにエンボス加工を施してなることを特徴とするカーペット調合成樹脂製床材。」
　ロ．訂正明細書の段落【０００４】の【課題を解決するための手段】の記載における、「本発明のカーペット調合成樹脂製床材は、・・・着色合成樹脂基材上に・・・施してなることを特徴とする。」を、「本発明のカーペット調合成樹脂製床材は、・・・カーペット模様の植設パイルの直径とほぼ等しい大きさの直径を有し互いに色彩の異なる複数の種類のチップの緊密集合体からなる着色合成樹脂基材上に・・・施してなることを特徴とする。」
と補正する。
　ハ．訂正明細書の段落【０００９】（特許明細書の段落【００１１】）の記載における、「顔料等を・・・その手法は特に問わないが、」（同公報の段落【００１１】１〜４行）、「ことができる」（同公報の同段落７行）及び「ことが好ましい」（同公報の同段落９行）のそれぞれの記載を削除する。
（２）補正の適否について
　特許権者が行った訂正請求に対する補正イ〜ハは、訂正請求書に添付した明細書を基準とし、特許請求の範囲を減縮し又は明りょうでない記載の釈明を行うものである。そして、これらの補正は、訂正請求書に添付した明細書又は図面に記載した事項の範囲内の補正であって、しかも、訂正請求書に添付した明細書の特許請求の範囲を実質上拡張し又は変更するものではないから、訂正請求書の要旨を変更するものではなく、特許法１２０条の４第３項において準用する同法１３１条２項の規定に適合するので、これらの補正を採用する。
２．訂正請求について
（１）訂正請求の内容
　前記補正の採用により、特許権者が求めている訂正の内容は、以下のとおりである。
　ａ．明細書の特許請求の範囲の請求項１及び２を削除し、請求項３を請求項１として、上記〔ＩＩ〕１．（１）イ．のように訂正する。
　ｂ．明細書の段落【０００４】、【０００５】を段落【０００４】に統一し、その【課題を解決するための手段】の記載を、
「本発明のカーペット調合成樹脂製床材は、力一ペット模様の植設パイルの頂部に該当する部分を明部に、その周辺部を相対的に暗部とした濃淡ないし陰影模様を印刷してなる透明ないし半透明の陰影フイルムあるいはシートを、カーペット模様の植設パイルの直径とほぼ等しい大きさの直径を有し互いに色彩の異なる複数の種類のチップの緊密集合体からなる着色合成樹脂基材上に積層するか、または、カーペット模様の植設パイルの頂部に該当する部分を明部に、その周辺部分を相対的に暗部とした濃淡ないしは陰影模様を前記着色合成樹脂基材に直接印刷し、該濃淡ないし陰影模様を通して着色合成基材の色彩、模様を視認できるように構成し、さらに表面に、カーペット模様の植設パイルの直径とほぼ等しい大きさの直径の凸部が密に形成されるようにエンボス加工を施してなることを特徴とする。」
と訂正する。
　ｃ．明細書の段落【０００６】を段落【０００５】に繰り上げ、「床材は、・・・エンボスロール５１により表面にランダムエンボスが施されている。」（本件特許公報の段落【０００６】３〜１１行）の記載を削除する。
　ｄ．明細書の段落【０００７】を削除する。
　ｅ．明細書の段落【０００８】を段落【０００６】に繰り上げ、末尾に段落【０００７】に記載されていた「表面エンボスは、凸部の直径ｄを、植設パイルの平面直径とほぼ同じ大きさとし、この凸部を密に集合させて形成する。この結果、カーペット調の立体感が得られ、また、この立体感は、表面に存在する透明ないし半透明の表面保護層１１による浮き上がり効果によって助長される。」を加入する。
　ｆ．明細書の段落【０００９】を段落【０００７】に繰り上げ、「図５」（同公報の段落【０００９】１行）を「図３」に、「図１」（同公報の同段落１０行）を「図２」に、それぞれ訂正し、また、「（図２の場合も同じ）」（同公報の同段落１０行）の記載を削除する。
　ｇ．明細書の段落【００１２】、【００１３】をまとめて段落【００１０】に繰り上げ、その【発明の効果】の記載を、「本発明によれば、濃淡ないしは陰影模様と表面エンボスとを組み合わせることにより、カーペット調の合成樹脂製床材を実現できる。しかも、多色の複雑な印刷によらなくても、濃淡または陰影模様の裏面を構成する着色基材層の色彩、模様を調整するだけで多様な色彩、模様、質感を有するカーペット調合成樹脂製床材を得ることができる。」
と訂正する。
　ｈ．図１及び図２を削除し、図３〜図５を図１〜図３と訂正する。
　ｉ．明細書を前記補正ハのとおり訂正する。
（２）訂正の適否について
（２ー１）訂正の目的の適否、新規事項の有無、及び拡張・変更の存否について
　▲１▼訂正ａについて
　この訂正は、特許明細書の特許請求の範囲の請求項１及び２を削除し、請求項３を請求項１に繰り上げ、請求項１及び２の削除に伴い、請求項３で引用していた請求項２の構成を具体的に表現し、記載型式を変更するものであって、特許請求の範囲の減縮を目的とするものである。そして、この訂正は、特許明細書又は図面に記載された事項の範囲内のものであり、しかも実質上特許請求の範囲を拡張し、又は変更するものではない。
　▲２▼訂正ｂ〜ｉについて
　これらの訂正は、特許請求の範囲の訂正に伴って、特許請求の範囲の記載と整合させるためになされたもので、明りょうでない記載の釈明を目的とするものであり、また、特許明細書又は図面に記載された事項の範囲内のものであり、実質上特許請求の範囲を拡張し、又は変更するものではない。
（２−２）独立特許要件について
　▲１▼訂正後の請求項１に係る発明
　訂正後の請求項１に係る発明は、補正された訂正明細書の特許請求の範囲の請求項１に記載されたとおりのものと認める。（〔ＩＩ〕１．（１）イ．参照。）
　▲２▼刊行物の記載事項
　当審で通知した取消理由で引用した刊行物１（特開昭６２−１２７２２５号公報、異議申立人村田祥一が提出した甲第１号証）には、
「本発明は店舗等の床材として利用する塩ビ床タイルの製造方法に関する」（１頁左下欄１１行〜１２行）、「表面の透明塩ビシートの下には必要に応じて模様層、着色塩ビシート、基材塩ビシート等を順次積層し、表面の透明塩ビシートの上に天然の石や木等を原稿にして高周波成型用シリコン樹脂でおす型、めす型の型取りをすることによって作製されたエンボス型をかぶせ、高周波成形機で高周波を照射してエンボスを形成した後、エンボス型を離型する。」（１頁右下欄２０行〜２頁左上欄７行）と記載されている。
　同じく刊行物２（特開平２−１５７３５７号公報、異議申立人吉田勝広が提出した甲第２号証）には、
「合成樹脂製基材層、印刷層および表面層とからなる合成樹脂製床材において、前記表面層は合成樹脂と耐熱性透明粒子とから形成されており、また、該床材は部分的にエンボスされた凹部を有しており、かつ前記凹部は透明粒子が印刷層を貫通して基材層内に埋没していることを特徴とするエンボス床材」（特許請求の範囲）と記載されている。
　同じく刊行物３（特開昭５７ー５１４６０号公報、異議申立人吉田勝広が提出した甲第４号証）には、
「着色不透明樹脂フイルムの表面にパールベタ層および木目柄、あるいは布目柄模様の印刷インキ層を形成したのち、インキ層側に透明又は半透明の樹脂フイルムを熱圧着させると同時に着色不透明樹脂フイルムの裏面にヘヤーラインあるいは目の荒い梨地あるいは布目等のエンボス加工を施す・・・エンボス化粧シートの製造方法。」（特許請求の範囲）と記載されている。
　同じく刊行物４（特公平２−５８３９４号公報、異議申立人吉田勝広が提出した甲第６号証）には、「本発明の防滑性床敷体の製造方法は一般的には、・・・塩化ビニル樹脂コンパウンドを溶融成形して粒状体を得る第一工程、上記粒状体を裏打ち材上に所定の厚さに展延載置する第二工程、上記構成体を加熱して、粒状体同士および粒状体と裏打材とを加熱融着させる第三工程、展延した上記構成体を押圧ロールで所定の厚さに押圧する第四工程、および、上記構成体を、エンボス装置にてその表面に凹凸紋模様を付与する第五工程からなることを特徴とする。」（８欄２８行〜４２行）、
「押出された紐状物の断面形状は、特に限定されないが、一般的には略円型であるのが好ましい。このように押出された紐状物は、一旦冷却し、カッターにより切断し、長さが約２．５〜３．０ｍｍの紐状体とすることによって本発明で使用する粒状体が得られる。」（９欄６行〜１１行）、「数種類の着色粒子を混合して使用する場合は、その装飾効果上極めて有利となる。」（１２欄２９行〜３１行）、「第四工程で得られたシート体は、粒状体圧縮層中に若干の空隙を残しているが、粒状体が圧潰され、粒状体境界を明確に残存しているので極めて美麗な外観を持ったものとなる。」（１３欄２行〜５行）と記載されている。
　異議申立人吉田勝広が提出した甲第１号証である特開昭５３−１４１３８０号公報（以下、「刊行物５」という。）には、「熱可塑性樹脂の透明フイルムの表面にこれと熱にても接着しない透明シートを粘着剤にて貼合わせると共に透明フイルムの裏面に施された柄に合致させて透明シートの表面に熱硬化性樹脂の盛上印刷を行ない、熱可塑性樹脂の基材シート上に透明フイルムを重ね、透明シート上に平板プレートを重ねて熱圧成形する・・・プラスチック床材の製造法。」（特許請求の範囲）と記載されている。
　同吉田勝広が提出した甲第３号証である特開昭６３−１９４９４９号公報（以下、「刊行物６」という。）には、
「本発明の化粧シートは、その表面に熱エンボス法などにより、任意にエンボス加工を行なってエンボス（凹凸）を施すことができる。エンボスの形状はさまざまであって、▲１▼木目の導管を表現したもの、▲２▼塗装板の艶状態を再現したもの、▲３▼前記▲１▼および▲２▼のものを組合わせたもの、▲４▼抽象パターン、石目パターン、布目パターン、などのパターンのものなどがある。」（４頁右上欄８行〜１５行）と記載されている。
　同吉田勝広が提出した甲第５号証である特開昭５６−８６７１３号公報（以下「刊行物７」という。）には、
「パターンシートに導管柄を除いて木目柄を印刷し次いでパターンシートの木目柄に合わせて導管エンボスを施し、しかる後パターンシート上に着色塗料を塗布する・・・凹凸化粧板の製造方法。」（特許請求の範囲）と記載されている。
　異議申立人村田祥一が提出した甲第２号証である特公昭４５−３４２８０号公報（以下、「刊行物８」という。）には、
「本発明は深いエンボッシングを有するプラスチックシート材料を製造する方法に関し、特にけば絨毯の表面を髣髴させるような深くきめをつけた表面を有するカーペットなどをビニル樹脂またはこれに類する熱可塑性樹脂より製造する方法に関する。」（１欄３５行〜２欄２行）、「熱可塑性樹脂粒と液状可塑剤の乾燥配合物を製造する工程と、前記乾燥配合物を薄い層になるように拡げる工程と、一時の非粘着裏当て上に保持させかつ周囲のふん囲気に自由に露出しながら層を加熱することによって焼結させて粘着シートを形成させる工程と、このシートの表面を深くエンボッシングしてパイル織物効果を生じさせる工程とを特徴とし、前記エンボッシングロールを、樹脂の軟化範囲よりも低い温度に保たれたエンボッシングロールによって行い、前記ロールは、前記パイルを形成させるために深さ１．５ないし２．５ｍｍ（・・・）幅０．８ないし３．２ｍｍ（・・・）の表面の開口を有することを特徴とする、プラスチックシートの製造法。」（特許請求の範囲）と記載されている。
　異議申立人村田祥一が提出した甲第３号証である特開昭５７ー２７９２号公報（以下、「刊行物９」という。）には、
「床用基材面に暗色系の下塗り塗装を施し、該塗装面に、スクリーン印刷により前記塗装面より明色系の塗料を部分的に厚塗りして凸状の所定模様を印刷し、乾燥させた後、該所定模様の部位に前記下塗り塗装面より明色系でかつ着色用の塗料をスクリーン印刷により模様状に印刷し、乾燥させた後、粉状の耐摩耗材を加えた透明又は半透明の塗料を塗装面全体に薄層状に塗布する・・・立体模様を有する床材の製造法。」（特許請求の範囲）と記載されている。
　異議申立人村田祥一が提出した甲第４号証である実願昭５７−１６２１４号（実開昭５８−１２００３２号）のマイクロフィルム（以下、「刊行物１０」という。）には、
「表面に凹凸模様を有する化粧板において、模様凸部側面部の色彩が他の部分の色彩と比較して濃色である・・・立体模様化粧板。」（実用新案登録請求の範囲）と記載されている。
　異議申立人村田祥一が提出した甲第５号証である実願平１−７２５７１号（実開平３−１４１９４号）のマイクロフィルム（以下、「刊行物１１」という。）には、
「本考案のビニル床タイルは、塩化ビニル系基材シートと塩化ビニル系透明トップシートとの間に、塩化ビニル／酢酸ビニル系共重合体からなる熱融着繊維を２０ｗｔ％以上含有した熱融着用繊維シートを介在させて、通常の繊維よりなる織編物或は不織布等の繊維シートを挟持せしめ、熱圧着してなる。」（明細書３頁９行〜１５行）、「本考案は上記の構成を有するため、トップシートを透かして、通常の繊維シートの色柄や立体形状が表面に表れる。」（同３頁１７行〜１９行）と記載されている。
　▲３▼対比・判断
　訂正後の請求項１に係る発明と刊行物１〜１１に記載されたものとを比較すると、刊行物１〜１１に記載されたものは、訂正後の請求項１に係る発明の「カーペット模様の植設パイルの頂部に該当する部分を明部に、その周辺部を相対的に暗部とした濃淡ないし陰影模様を印刷してなる透明ないし半透明の陰影フイルムあるいはシートを、カーペット模様の植設パイルの直径とほぼ等しい大きさの直径を有し互いに色彩の異なる複数の種類のチップの緊密集合体からなる着色合成樹脂基材上に積層するか、または、カーペット模様の植設パイルの頂部に該当する部分を明部に、その周辺部を相対的に暗部とした濃淡ないし陰影模様を前記着色合成樹脂基材に印刷し、該濃淡ないし陰影模様を通して着色合成樹脂基材の色彩、模様を視認できるように構成し」の事項を備えておらず、当該事項により、訂正後の請求項１に係る発明は、多色の複雑な印刷によらなくとも、濃淡または陰影模様の裏面を構成する着色基材層の色彩、模様を調整するだけで多様な色彩、模様、質感を有するカーペット調合成樹脂製床材を得ることができる、という訂正明細書に記載の顕著な効果を奏するものであるから、訂正後の請求項１に係る発明は、刊行物１〜１１に記載されたものに基いて当業者が容易に発明をすることができたものとすることはできない。
　したがって、訂正後の請求項１に係る発明は、特許出願の際独立して特許を受けることができるものである。
（２−３）まとめ
　以上のとおりであるから、訂正ａ〜ｉは、特許法等の一部を改正する法律（平成６年法律１１６号）附則６条１項の規定によりなお従前の例によるとされる、特許法１２０条の４第２項ただし書１号又は３号に掲げる事項を目的とし、同条３項で準用する同法１２６条２〜４号の規定に適合するので、本件訂正請求を認める。
〔ＩＩＩ〕特許異議の申立てについて
１．異議申立人の主張の概要
（１）特許異議申立人吉田勝広は、甲第１〜第６号証を提出して、請求項１及び２に係る発明は、甲第１〜第５号証に記載された事項に基づき、また、請求項３に係る発明は、甲第１〜第６号証に記載された事項に基づき、それぞれ当業者が容易に発明をすることができたものであるから特許法２９条２項の規定により特許を受けることができないものであり、更に、請求項１〜３に係る発明は、特許明細書に記載不備があり特許法３６条５項及び６項の規定によっても特許を受けることができないものであるから、それらの発明に係る特許は取り消されるべきである旨主張している。
　甲第１号証：特開昭５３−１４１３８０号公報
　甲第２号証：特開平２−１５７３５７号公報
　甲第３号証：特開昭６３−１９４９４９号公報
　甲第４号証：特開昭５７−５１４６０号公報
　甲第５号証：特開昭５６−８６７１３号公報
　甲第６号証：特公平２−５８３９４号公報
（２）特許異議申立人村田祥一は、甲第１〜第５号証を提出して、請求項１に係る発明は、甲第１〜第３号証に基づき、また、請求項２及び３に係る発明は、甲第１〜第５号証に基づき、それぞれ当業者が容易に発明をすることができたものであるから特許法２９条２項の規定により特許を受けることができないものであり、更に、請求項１〜３に係る発明は、特許明細書に記載不備があり特許法３６条４項、５項及び６項の規定によっても特許を受けることができないものであるから、それらの発明に係わる特許は取り消されるべき旨主張している。
　甲第１号証：特開昭６２−１２７２２５号公報
　甲第２号証：特公昭４５−３４２８０号公報
　甲第３号証：特開昭５７−２７９２号公報
　甲第４号証：実願昭５７−１６２１４号（実開昭５８−１２００３２号）のマイクロフイルム
　甲第５号証：実願平１−７２５７１号（実開平３−１４１９４号）のマイクロフイルム
２．本件請求項１に係る発明
　本件請求項１に係る発明は、補正された訂正明細書の特許請求の範囲の請求項１に記載されたとおりのものと認める。（〔ＩＩ〕１．（１）イ．参照。）
　なお、上記訂正により訂正前の請求項１及び２は削除され、訂正前の請求項３が請求項１に繰り上がったので、訂正前の請求項１及び２については、異議の決定を要しないものとなった。
３．特許異議の申立ての理由についての判断
（１）２９条違反について
　本件請求項１に係る発明と特許異議申立人吉田勝広及び特許異議申立人村田祥一が提出した甲各号証に記載されたものとの対比・判断は、上記〔ＩＩ〕２．（２−２）▲３▼で述べたとおりである。
（２）３６条違反について
▲１▼異議申立人吉田勝広が主張する、本件特許明細書の特許請求の範囲の請求項１〜３に記載の「カーペット模様の植設パイル」は、意味不明瞭である旨の、本件特許明細書の記載不備に関する主張について検討する。
　訂正明細書の段落【０００７】には、「化粧効果層２３は、図３に平面図を示したように、透明ないし半透明のフイルムないしシートからなる陰影基材２５に、カーペット模様の植設パイルの頂部に該当する部分を明部２７に、その周辺部を相対的に暗部２９に印刷されてなり、濃淡ないし陰影模様が形成されている。」の記載があり、同記載及び図面の記載によれば、上記「カーペット模様の植設パイル」の記載は、植設パイルをカーペット模様として陰影模様等で表現して印刷したフイルムにおける該陰影模様等の植設パイル模様の意味であることは、当業者において明らかであると認める。そうしてみると、特許請求の範囲の請求項１の記載に不備があるということはできない。
　よって、特許異議申立人の主張する理由を採用することはできない。
▲２▼異議申立人村田祥一が主張する、特許明細書の請求項１〜３に記載の「カーペット模様の植設パイルの直径とほぼ等しい大きさの直径の凸部が密に形成されるようにエンボス加工を施し」の構成による効果が明細書の詳細な説明に明らかにされてなく、またこの構成は発明に不必要な構成である旨の、本件特許明細書の記載不備に関する主張について検討する。
　本件請求項１に係る発明は、特許を受けようとする発明の構成に欠くことができない事項として、「カーペット模様の植設パイルの直径とほぼ等しい大きさの直径の凸部が密に形成されるようにエンボス加工を施し」の構成を備えるものであり、その構成を備えることにより、「カーペット感により優れた床材を得ることができる。」（訂正明細書の段落【０００７】）、「カーペット調の合成樹脂製床材を実現できる。」（訂正明細書の段落【００１０】という効果が明細書に記載されている。そうしてみると、特許請求の範囲及び発明の詳細な説明の記載に不備があるということはできない。
４．むすび
　以上のとおりであるから、異議申立人の提出した証拠及び理由によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１１年７月１３日（１９９９．７．１３）
【訂正の要旨】
（訂正の要旨）
　本件訂正は、願書に添付された明細書及び図面を、特許請求の範囲の減縮を目的として、下記（１）のとおり、及び明りようでない記載の釈明を目的として、下記（２）〜（９）のとおり訂正するものである。
（１）特許請求の範囲の請求項１及び２を削除し、請求項３を請求項１に繰り上げて、「１．カーペット模様の植設パイルの頂部に該当する部分を明部に、その周辺部を相対的に暗部とした濃淡ないし陰影模様を印刷してなる透明ないし半透明の陰影フイルムあるいはシートを、カーペット模様の植設パイルの直径とほぼ等しい大きさの直径を有し互いに色彩の異なる複数の種類のチップの緊密集合体からなる着色合成樹脂基材上に積層するか、または、カーペット模様の植設パイルの頂部に該当する部分に、その周辺部を相対的に暗部とした濃淡ないし陰影模様を前記着色合成樹脂基材に印刷し、該濃淡ないし陰影模様を通して着色合成樹脂基材の色彩、模様を視認できるように構成し、さらに表面に、カーペット模様の植設パイルの直径とほぼ等しい大きさの直径の凸部が密に形成されるようにエンボス加工を施してなることを特徴とするカーペット調合成樹脂製床材。」
と訂正する。
（２）明細書の段落【０００４】、【０００５】を段落【０００４】に統一し、その【課題を解決するための手段】の記載を、
「本発明のカーペット調合成樹脂製床材は、カーペット模様の植設パイルの頂部に該当する部分を明部に、その周辺部を相対的に暗部とした濃淡ないし陰影模様を印刷してなる透明ないし半透明の陰影フイルムあるいはシートを、カーペット模様の植設パイルの直径とほぼ等しい大きさの直径を有し互いに色彩の異なる複数の種類のチップの緊密集合体からなる着色合成樹脂基材上に積層するか、または、カーペット模様の植設パイルの頂部に該当する部分を明部に、その周辺部分を相対的に暗部とした濃淡ないしは陰影模様を前記着色合成樹脂基材に直接印刷し、該濃淡ないし陰影模様を通して着色合成基材の色彩、模様を視認できるように構成し、さらに表面に、カーペット模様の植設パイルの直径とほぼ等しい大きさの直径の凸部が密に形成されるようにエンボス加工を施してなることを特徴とする。」
と訂正する。
（３）明細書の段落【０００６】を段落【０００５】に繰り上げ、「床材は、・・・エンボスロール５１により表面にランダムエンボスが施されている。」（本件特許公報の段落【０００６】３〜１１行）の記載を削除する。
（４）明細書の段落【０００７】を削除する。
（５）明細書の段落【０００８】を段落【０００６】に繰り上げ、末尾に段落【０００７】に記載されていた「表面エンボスは、凸部の直径ｄを、植設パイルの平面直径とほぼ同じ大きさとし、この凸部を密に集合させて形成する。この結果、カーペット調の立体感が得られ、また、この立体感は、表面に存在する透明ないし半透明の表面保護層１１による浮き上がり効果によって助長される。」を加入する。
（６）明細書の段落【０００９】を段落【０００７】に繰り上げ、「図５」（同公報の段落【０００９】１行）を「図３」に、「図１」（同公報の段落【０００９】１０行）を「図２」に、それぞれ訂正し、また、「（図２の場合も同じ）」の記載を削除する。
（７）明細書の段落【００１１】を段落【０００９】に繰り上げ、「顔料等を・・・その手法は特に問わないが、」（同公報の段落【００１１】１〜４行）、「ことができる」（同公報の段落【００１１】７行）、及び「ことが好ましい」（同公報の段落【００１１】９行）、のそれぞれの記載を削除する。
（８）明細書の段落【００１２】、【００１１】をまとめて段落【００１０】に繰り上げ、その【発明の効果】の記載を「本発明によれば、濃淡ないしは陰影模様と表面エンボスとを組み合わせることにより、カーペット調の合成樹脂製床材を実現できる。しかも、多色の複雑な印刷によらなくても、濃淡または陰影模様の裏面を構成する着色基材層の色彩、模様を調整するだけで多様な色彩、模様、質感を有するカーペット調合成樹脂製床材を得ることができる。」
と訂正する。
（９）図１及び図２を削除し、図３〜図５を図１〜図３と訂正する。
（５４）【発明の名称】
カーペット調合成樹脂製床材
（５７）【特許請求の範囲】
　　【請求項１】　カーペット模様の植設パイルの頂部に該当する部分を明部に、その周辺部を相対的に暗部とした濃淡ないし陰影模様を印刷してなる透明ないし半透明の陰影フィルムあるいはシートを、
カーペット模様の植設パイルの直径とほぼ等しい大きさの直径を有し互いに色彩の異なる複数の種類のチップの緊密集合体からなる
【発明の詳細の説明】
　　　【０００１】
　　【産業上の利用分野】
　本発明は、床タイル、長尺床材などとして用いられるカーペット調の合成樹脂製床材、およびこの製造に用いられる模様基材に関する。
　　　【０００２】
　　【従来の技術】
　オフィスなどで用いられる床材としては、大別して、合成樹脂製の表面化粧層を有する合成樹脂製床材と、繊維パイルが植設されたカーペットタイルとがある。カーペットタイルが使用される理由は、歩行音の発生が少ない等の機能面の特徴にもあるが、一番の理由は豪華さが演出されるその外観にある。
　しかし一方において、カーペットタイルは、小さなゴミやホコリが溜りやすく十分な清掃が困難であり、また、価格的にも高価であるなどの問題を有している。
　　　【０００３】
　　【発明が解決しようとする課題】
　本発明は、合成樹脂でありながらカーペット調の外観あるいは模様を表現しうる床材を提供するものである。
　　　【０００４】
　　【課題を解決するための手段】
　本発明のカーペット調合成樹脂製床材は、カーペット模様の植設パイルの頂部に該当する部分を明部に、その周辺部を相対的に暗部とした濃淡ないし陰影模様を印刷してなる透明ないし半透明の陰影フィルムあるいはシートを、
カーペット模様の植設パイルの直径とほぼ等しい大きさの直径を有し互いに色彩の異なる複数の種類のチップの緊密集合体からなる
　　　【０００５】
　　【実施例】
　図１は本発明の床材の製造例を示す分解斜視図であり、図２は製造された床材の実施例を示す断面図である。
　　　【０００６】
　床材は、透明ないし半透明の合成樹脂からなる表面保護層１１、濃淡または陰影模様を印刷した陰影フィルムないしシートからなる化粧効果層２３、着色された塩化ビニル樹脂等の合成樹脂ないしはゴムからなる着色基材層３３、ガラス繊維等の不織布からなる補強層４１、塩化ビニル樹脂等の合成樹脂ないしはゴムからなる裏打層４３から一体的に構成されてなり、エンボスロール５１により表面にランダムエンボスが施されている。
　表面エンボスは、凸部の直径ｄを、植設パイルの平面直径とほぼ同じ大きさとし、この凸部を密に集合させて形成する。この結果、カーペット調の立体感が得られ、また、この立体感は、表面に存在する透明ないし半透明の表面保護層１１による浮き上がり効果によって助長される。
　　　【０００７】
　化粧効果層２３は、図３に平面図を示したように、透明ないし半透明のフィルムないしはシートからなる陰影基材２５に、カーペット模様の植設パイルの頂部に該当する部分を明部２７に、その周辺部を相対的に暗部２９に印刷されてなり、濃淡ないし陰影模様が形成されている。この暗部２９によって囲まれ形成される植設パイル模様の直径とほぼ等しい直径ｄを有する凸部からなるエンボス模様を形成することにより、カーペット感により優れた床材を得ることができる。エンボスは、図２に示したように、直径ｄの凸部が密に形成されてなる。
　　　【０００８】
　陰影基材２５は、プラスチックフィルムないしはシート、トレーシングペーパー等の透明ないしは半透明の素材から形成され、この陰影模様を介して着色基材層３３の色彩ないし模様が観察される。また、上記陰影基材２５の使用に代えて、濃淡ないし陰影模様を着色樹脂基材層３３に直接あるいは間接的に印刷してもよい。
　　　【０００９】
　着色基材層３３
は、色彩
する。
同等とする。
　表面保護層１１、補強層４１および裏打層４３の素材としては、従来の床材と同様のものを用いることができる。
　　　【００１０】
　　【発明の効果】
　本発明によれば、濃淡ないしは陰影模様と表面エンボスとを組み合わせることにより、カーペット調の合成樹脂製床材を実現できる。しかも、多色の複雑な印刷によらなくても、濃淡または陰影模様の裏面を構成する着色基材層の色彩、模様を調整するだけで多様な色彩、模様、質感を有するカーペット調合成樹脂製床材を得ることができる。
【図面の簡単な説明】
　　【図１】
　本発明の床材の製造例を示す斜視図である。
　　【図２】
　本発明の床材の実施例を示す断面図である。
　　【図３】
　本発明で用いられる化粧効果層の構成例を示す平面図である。
　　【符号の説明】
　１１　表面保護層
　２３　化粧効果層
　２５　陰影基材
　２７　明部
　２９　暗部
　３３　着色基材層
　４１　補強層
　４３　裏打層